(57)【特許請求の範囲】
【請求項１】
用紙におけるロール状に巻回されたロール部の外周部に当接し、前記ロール部の回転に連れ回りするローラと、
前記ローラよりも下方の位置で水平方向に対して傾斜していて前記外周部に下方から当接し前記外周部を前記ローラに当接させる第１の傾斜部を含み、前記ローラの回転により前記ローラの下方に送られる前記用紙のたるみ部を収納可能な基体部と、
前記ロール部からの前記用紙の引き出し方向で前記ローラの下流側に設けられ、前記引き出し方向での下流側端から上流側端に向かって上り傾斜に形成され、前記用紙と当接可能であり、前記上流側端が前記ローラの軸心よりも上方に位置された第２の傾斜部と、
を備えた用紙収納装置。
【請求項２】
前記上流側端が前記ローラの上端よりも下方に位置された請求項１に記載の用紙収納装置。
【請求項３】
前記上流側端と連続して設けられ前記ローラと対向する対向部を有するガイド部を備え、
前記第２の傾斜部と前記対向部との接続部が上方に凸に湾曲している請求項１または２に記載の用紙収納装置。
【請求項４】
前記第２の傾斜部は、前記ローラの軸心に沿って複数設けられた請求項１ないし３のいずれか一項に記載の用紙収納装置。
【請求項５】
前記第２の傾斜部は、前記第１の傾斜部と一体成形された請求項１ないし４のいずれか一項に記載の用紙収納装置。
【請求項６】
請求項１ないし５のいずれか一項に記載の用紙収納装置と、
前記用紙収納装置から引き出された前記用紙に印字を行う印字部と、
を備えたプリンタ。
【発明の詳細な説明】
【技術分野】
【０００１】
本発明の実施形態は、用紙収納装置およびプリンタに関する。
【背景技術】
【０００２】
従来、用紙収納装置に収納した用紙のロール部から用紙を引き出して、引き出した用紙に印字を行うプリンタが知られている。
【発明の概要】
【発明が解決しようとする課題】
【０００３】
このようなプリンタでは、例えば用紙の長手方向に相互に間隔をあけて複数のミシン目が設けられている用紙が用いられることがある。この場合、用紙の位置合わせ等のために用紙を戻し搬送したときに、用紙がミシン目で折れ曲がり用紙ジャムが起こるおそれがある。
【課題を解決するための手段】
【０００４】
実施形態の用紙収納装置は、ローラと、基体部と、第２の傾斜部と、を備えた。前記ローラは、用紙におけるロール状に巻回されたロール部の外周部に当接し、前記ロール部の回転に連れ回りする。前記基体部は、前記ローラよりも下方の位置で水平方向に対して傾斜していて前記外周部に下方から当接し前記外周部を前記ローラに当接させる第１の傾斜部を含み、前記ローラの回転により前記ローラの下方に送られる前記用紙のたるみ部を収納可能である。前記第２の傾斜部は、前記ロール部からの前記用紙の引き出し方向で前記ローラの下流側に設けられ、前記引き出し方向での下流側端から上流側端に向かって上り傾斜に形成され、前記用紙と当接可能であり、前記上流側端が前記ローラの軸心よりも上方に位置された。
【図面の簡単な説明】
【０００５】
【図１】図１は、実施形態にかかるプリンタを示す図であって、蓋部が閉じた状態を示す斜視図である。
【図２】図２は、実施形態にかかるプリンタを示す図であって、蓋部が開いた状態を示す斜視図である。
【図３】図３は、実施形態にかかるプリンタを示す図であって、蓋部が開いた状態を示す斜視図である。
【図４】図４は、実施形態にかかる用紙収納装置を示す斜視図である。
【図５】図５は、実施形態にかかる用紙収納装置を示す縦断側面図である。
【図６−１】図６−１は、実施形態にかかる用紙収納装置の一部を示す縦断側面図であって、用紙にたるみが生じた状態を示す図である。
【図６−２】図６−２は、実施形態にかかる用紙収納装置の一部を示す縦断側面図であって、用紙のたるみが空間に収納された状態を示す図である。
【図７−１】図７−１は、実施形態にかかるプリンタの一部を示す縦断側面図であって、用紙の戻し搬送直後の状態を示す図である。
【図７−２】図７−２は、実施形態にかかるプリンタの一部を示す縦断側面図であって、戻し搬送された用紙の一部が空間に収納された状態を示す図である。
【図８−１】図８−１は、比較例にかかるプリンタの一部を示す縦断側面図であって、用紙の戻し搬送直後の状態を示す図である。
【図８−２】図８−２は、比較例にかかるプリンタの一部を示す縦断側面図であって、戻し搬送された用紙が折れ曲がった状態を示す図である。
【図９】図９は、実施形態の変形例にかかる用紙収納装置の一部を示す縦断側面図である。
【発明を実施するための形態】
【０００６】
以下、図面を参照して、実施形態について詳細に説明する。なお、各図では、便宜上、プリンタ１の基部１０の前後方向での後方をＸ方向、プリンタ１の基部１０の幅方向をＹ方向、プリンタ１の基部１０の高さ方向（上下方向の上方）をＺ方向と記す。これらＸ方向、Ｙ方向、およびＺ方向は相互に直交している。
【０００７】
図１に示すように、プリンタ１は、基部１０と、蓋部１１と、を有している。プリンタ１は、基部１０に設けられたバッテリ（図示せず）を電源として動作する。
【０００８】
図２および図３に示すように、基部１０は、上面開口の略直方体状に形成されている。基部１０は、左右の幅方向よりも前後方向の方が長く形成されている。基部１０は、収納した用紙１００を支持する。一方、蓋部１１は、図１に示すように、側面視で略三角形状に形成されている。蓋部１１は、ヒンジ部１２（図２）によって基部１０に回動可能に連結されている。詳しくは、蓋部１１は、基部１０の上部に配置され基部１０の上部を覆う閉位置（図１）と、基部１０の上部を露出させる開位置（図２，３）との間で基部１０に回動可能に連結されている。プリンタ１には開閉ロック部５０が設けられており、開閉ロック部５０が、閉位置に位置する蓋部１１を基部１０に対して解除可能にロックする。また、プリンタ１の前面（正面）１０ａにおける基部１０と蓋部１１との間には、用紙１００を排出する排紙口１０ｂが設けられている。
【０００９】
ここで、本実施形態のプリンタ１で使用される用紙１００は、図２に示すように、長尺状（帯状）に形成されてロール状に巻回されている。用紙１００は、詳細には、ロール状に巻回されたロール部１００ａを有している。用紙１００は、一例として感熱紙であり、ロール部１００ａから引き出された引出部（展開部）１００ｂ（図５参照）に印字がなされる。用紙１００は、一例として、印字面が外側を向いた外巻き用紙が用いられる。また、本実施形態では、用紙１００には、ミシン目（切り込み部）１００ｃが設けられている。ミシン目１００ｃは、用紙１００の長手方向に沿って相互に間隔をあけて複数設けられている（図２では一つだけが示されている）。用紙１００は、ミシン目１００ｃで切断可能となっている。用紙１００は、一例として、所定事項が印字されてチケットとして発行される。
【００１０】
図３に示すように、基部１０は、上面開口の略箱状の第１の筐体１４を有しており、第１の筐体１４に、用紙収納装置１５、プラテンローラ１６、下部用紙ガイド１７等が設けられている。一方、蓋部１１は、第２の筐体１８を有しており、第２の筐体１８にタッチパネル付きディスプレイ１９（図１参照）、印字ヘッド２０、上部用紙ガイド２１、ダンパ２２等が設けられている。蓋部１１が閉位置に位置付けられた状態では、印字ヘッド２０とプラテンローラ１６とが対向する。蓋部１１が開位置に位置付けられた状態では、印字ヘッド２０とプラテンローラ１６との間が開放される。下部用紙ガイド１７と上部用紙ガイド２１とは、用紙を案内するものであって、下部用紙ガイド１７と上部用紙ガイド２１との間は、用紙収納装置１５から排紙口１０ｂへ至る用紙搬送経路の一部となっている。
【００１１】
蓋部１１は、開状態とされることで用紙収納装置１５の上方を開放する。蓋部１１の後端部は上方に凸状の湾曲状（円弧状）をなしている。蓋部１１の後端部は、当該蓋部１１が閉じられた状態で用紙収納装置１５を上方から覆う。
【００１２】
用紙収納装置１５は、第１の筐体１４の後端部に設けられている。用紙収納装置１５は、プリンタ１に対して用紙収納装置１５を着脱可能であってもよいし、第１の筐体１４に一体に設けられていても良い。用紙収納装置１５は、用紙投げ込み式であり、収納した用紙１００のロール部１００ａの外周部１００ｄを支持する。用紙収納装置１５は、用紙１００を回転可能に支持しており、これにより、プラテンローラ１６による用紙１００の引き出しが可能となっている。
【００１３】
プラテンローラ１６は、歯車等で構成される動力伝達機構を介して駆動源であるモータに連結されている。プラテンローラ１６は、印字ヘッド２０によって用紙１００が押し付けられた状態で、モータによって回転駆動されることにより、用紙収納装置１５に収納された用紙１００を引き出して搬送する。モータは、例えばステッピングモータであり、印加される駆動パルスの数に応じて動作する。プラテンローラ１６は、用紙収納装置１５に収納された用紙１００を引き出して搬送する搬送部に相当する。
【００１４】
印字ヘッド２０は、例えば、サーマルヘッドである。印字ヘッド２０は、プラテンローラ１６に対向配置されている。印字ヘッド２０は、プラテンローラ１６に対して接離可能に蓋部１１の内面に連結されている。印字ヘッド２０は、プラテンローラ１６に向けて付勢部材であるコイルばね（図示せず）によって付勢されている。コイルばねに付勢された印字ヘッド２０は、当該印字ヘッド２０とプラテンローラ１６との間に介在する用紙１００をプラテンローラ１６に押し付ける。これにより、プラテンローラ１６の搬送力が用紙１００に確実に伝達される。印字ヘッド２０は、一列に配置された複数の発熱素子を有しており、これらの複数の発熱素子に選択的に通電することで発熱素子を発熱させる。この発熱によって、印字ヘッド２０は、プラテンローラ１６に支持されるとともに発熱素子に重ねられた用紙１００に各種の情報を印字する。印字ヘッド２０は、用紙収納装置１５から引き出された用紙１００に印字を行う。印字ヘッド２０は、印字部に相当する。
【００１５】
上記構成のプリンタ１に対する用紙１００のセットは、蓋部１１を開いた状態で、用紙１００を用紙収納装置１５に落とし込むとともに、用紙１００を排紙口１０ｂに達するまで引出した後に、蓋部１１を閉じることで行われる。これにより、用紙１００の引出部１００ｂがプラテンローラ１６と印字ヘッド２０とで挟まれた状態となる。
【００１６】
次に、用紙収納装置１５について詳細に説明する。
【００１７】
図４および図５に示すように、用紙収納装置１５は、基体部３１とローラ３２とを有している。基体部３１は、上面開口の容器状をなしている。基体部３１は、上方から用紙１００のロール部１００ａを受け入れる。用紙収納装置１５は、上方から落とし込まれた用紙１００のロール部１００ａを内部空間３１ｂに収納し、収納したロール部１００ａを基体部３１とローラ３２とで回転可能に支持する。そして、用紙１００が引き出されてロール部１００ａが反時計回り回転された場合、ロール部１００ａから引き出された引出部１００ｂが、ローラ３２と上部用紙ガイド２１との間を経て前方へ引き出される。
【００１８】
基体部３１は、底壁３１ｃと、前壁３１ｄと、後壁３１ｅと、一対の側壁３１ｆと、搬送ガイド部３１ｇと、を有している。前壁３１ｄは、底壁３１ｃの前端部から上方へ延出している。後壁３１ｅは、底壁３１ｃの後端部から上方へ延出している。一対の側壁３１ｆは、底壁３１ｃの一対の側端部から上方へ延出している。搬送ガイド部３１ｇは、前壁３１ｄの上端部から前方へ延出している。内部空間３１ｂは、底壁３１ｃと前壁３１ｄと一対の側壁３１ｆと後壁３１ｅとに囲まれている。
【００１９】
前壁３１ｄは、ロール部１００ａからの用紙引出方向（図中の矢印Ａの方向）での基体部３１の下流側壁部であり、プリンタ１の上下方向に略沿って延在している。前壁３１ｄの上端部と搬送ガイド部３１ｇの後端部とに亘って、左右一対の支持部３１ｈ（図面では一方の支持部３１ｈだけが示されている）が設けられている。一対の支持部３１ｈは、左右に間隔をあけて配置されている。一対の支持部３１ｈは、支軸３３を介してローラ３２を回転可能に支持して、当該ローラ３２を前壁３１ｄの上方に位置させている。
【００２０】
底壁３１ｃは、第１の傾斜部（上面、傾斜面）３１ｋを有している。第１の傾斜部３１ｋは、基体部３１の底面（内底面）を構成している。第１の傾斜部３１ｋは、ローラ３２よりも下方に位置されて水平方向に対して傾斜している。第１の傾斜部３１ｋは、ロール部１００ａの外周部１００ｄに下方から当接する。第１の傾斜部３１ｋは、ロール部１００ａの外周部１００ｄをローラ３２に当接させる。別の言い方をすると、第１の傾斜部３１ｋは、後壁３１ｅから前壁３１ｄに向かう方向、即ちロール部１００ａからの用紙１００の引き出し方向に下るように傾斜している。したがって、用紙１００には、底壁３１ｃを下る方向、即ち、ローラ３２に向かう方向に転がる力が加わる。第１の傾斜部３１ｋは、前壁３１ｄの下端から後向きに折れ曲がるように前壁３１ｄの下端と連続している。
【００２１】
後壁３１ｅは、後壁３１ｅの後端部から後方斜め上方に延出した第１の壁部３１ｉと第１の壁部３１ｉから略上方に延出した第２の壁部３１ｊとを有している。したがって、後壁３１ｅと前壁３１ｄとの相互の間の間隔は、上方に向かうにしたがい広くなっている。これにより、用紙１００を内部空間３１ｂに投げ込み易くなっている。
【００２２】
基体部３１内には、基体部３１に用紙１００のロール部１００ａが収納された状態で、前壁３１ｄと底壁３１ｃとロール部１００ａとにより囲まれる部分に空間３１ｘが形成される（図５）。空間３１ｘは、用紙１００に生じたたるみ部１００ｆ（図６−２参照）を収納可能となっている。このように、基体部３１は、ローラ３２との間に用紙１００のたるみ部１００ｆを収納可能である。
【００２３】
搬送ガイド部３１ｇは、前壁３１ｄの上端部から前方斜め上方に向けて延出した板状の第１の部分３１ｌと、第１の部分３１ｌから略水平に前方へ延出した板状の第２の部分３１ｍと、を有している。
【００２４】
第２の部分３１ｍの上面には、複数の凸部３１ｎが設けられている。凸部３１ｎは、ガイド部の一例である。凸部３１ｎは、ローラ３２の軸心（回転中心線）３２ｂに沿って複数設けられている。軸心３２ｂは、図５の紙面と直交する方向に沿って延在している。凸部３１ｎは、第２の傾斜部３１ｐと、第２の傾斜部３１ｐと連続して設けられた対向部３１ｑと、を有している。対向部３１ｑは、ローラ３２と対向している。第２の傾斜部３１ｐと対向部３１ｑとの接続部３１ｒは、上方に凸に湾曲している。接続部３１ｒは、凸部３１ｎの上端部を構成している。
【００２５】
第２の傾斜部３１ｐは、ロール部１００ａからの用紙１００の引き出し方向（図中の矢印Ａの方向、以後、用紙引出方向ともいう）でローラ３２の下流側に設けられている。第２の傾斜部３１ｐは、用紙引出方向での下流側端３１ｓから上流側端３１ｔに向かって上り傾斜に形成されている。別の言い方をすると、第２の傾斜部３１ｐは、ローラ３２に向かって上り傾斜に形成されている。上流側端３１ｔは、ローラ３２の軸心３２ｂよりも上方に位置され、且つローラ３２の上端３２ｃよりも下方に位置されている。第２の傾斜部３１ｐは、引き出された用紙１００と当接可能である。第２の傾斜部３１ｐは、用紙引出方向でのローラ３２の下流側でロール部１００ａへ向けて戻し搬送される用紙１００を、ローラ３２の上方へ向かう方向に案内する。
【００２６】
このような構成の基体部３１は、一例として樹脂成形によって形成されており、これにより、第１の傾斜部３１ｋと第２の傾斜部３１ｐとが一体成形されている。
【００２７】
ローラ３２は、用紙収納装置１５内に用紙１００のロール部１００ａが収納されている状態において、ロール部１００ａの外周部１００ｄに当接可能である。ローラ３２は、ロール部１００ａの外周部１００ｄに当接し、ロール部１００ａの回転に連れ回りする。別の言い方をすると、ローラ３２は、ロール部１００ａに従動して回転する。用紙１００が引き出されるときにロール部１００ａがローラ３２に当接することで、用紙引出方向へのロール部１００ａの移動が規制されるとともに、用紙１００の跳ね上がりが抑制される。さらに、前壁３１ｄの高さを側壁３１ｆに比べて低くし、当該前壁３１ｄにローラ３２を設けることにより、内部空間３１ｂの前方が広く開放された状態となり、用紙１００の出し入れが容易となっている。なお、ローラ３２の外周部には、複数の凹部３２ａが形成されており、ローラ３２の外周部は格子状をなしている。この凹部３２ａによってローラ３２は軽量化されていて、回転しやすくなっている。ローラ３２は、一例として樹脂によって構成されている。
【００２８】
図５に示すように、ロール部１００ａの軸心１００ｅがローラ３２の軸心３２ｂよりも下方の位置に位置している場合、ローラ３２は、ロール部１００ａの上部（上半分の部位）に当接する。一方、ローラ３２は、ロール部１００ａの軸心（回転中心線）１００ｅがローラ３２の軸心３２ｂよりも上方の位置にある場合（図示せず）、ロール部１００ａの下部（下半分の部位）に当接する。
【００２９】
以上の構成を有するプリンタ１では、プラテンローラ１６によって用紙１００の引き出し搬送が行われると、ロール部１００ａが第１の方向（図５での反時計回り）に回転する。このとき、ロール部１００ａの下端部は、底壁３１ｃの第１の傾斜部３１ｋに摺動し、ローラ３２は、ロール部１００ａの回転に連れ回りする。ローラ３２は、ロール部１００ａとは逆方向の第２の方向（図５での時計回り）に回転する。このように、本実施形態では、ロール部１００ａの一部をローラ３２が支持しているので、用紙１００の引き出し抵抗を比較的に小さくすることができ、用紙１００の引き出しが良好に行われる。
【００３０】
ここで、ロール部１００ａの径が小さくなって、ロール部１００ａがローラ３２ではなく前壁３１ｄに当接した状態では、用紙１００が引き出されてロール部１００ａが回転すると、ロール部１００ａが前壁３１ｄを登って上方位置へ移動することがある。この場合、前壁３１ｄを登ったロール部１００ａはローラ３２に当接し、ローラ３２がロール部１００ａの回転に連れ回りする。これにより、ロール部１００ａの上方への移動が規制され、ロール部１００ａは、一例として、ローラ３２に当接した直後に底壁３１ｃへ落下する。
【００３１】
次に、用紙１００にたるみ部１００ｆが生じた場合に、たるみ部１００ｆが空間３１ｘに収納される様子について図６−１，６−２を用いて説明する。
【００３２】
用紙１００の引き出しに伴い、用紙１００にたるみ部１００ｆが生じる場合がある。図６−１に示すように、たるみ部１００ｆは、ローラ３２の上方とロール部１００ａから引き出される引出部１００ｂとの間に生じやすい。このようにローラ３２の上方と引出部１００ｂとの間に生じたるみ部１００ｆは、ロール部１００ａの回転に連れ回りするローラ３２の回転により、図６−２に示すように、空間３１ｘの内部に送られ、空間３１ｘに収納される。
【００３３】
このように、本実施形態のプリンタ１においては、用紙１００に生じたたるみ部１００ｆは、一例として、ローラ３２の回転により、引き出される引出部１００ｂから離れた位置に移動されるため、引出部１００ｂの搬送に伴い引出部１００ｂと一緒に搬送されることが抑制され、たるみ部１００ｆによる用紙ジャムの発生を抑制することができる。
【００３４】
次に、用紙１００が戻し搬送された場合の用紙１００の挙動について説明する。プリンタ１では、用紙１００の位置合わせのため等に、用紙１００が戻し搬送される。戻し搬送は、用紙１００の引き出し搬送とは逆方向（図面中の矢印Ｂの方向）への搬送であり、用紙１００をロール部１００ａへ戻す搬送である。戻し搬送は、プラテンローラ１６が逆回転駆動されることでなされる。
【００３５】
戻し搬送においては、一例として、引出部１００ｂが第２の傾斜部３１ｐに当接しながら搬送され、引出部１００ｂは、第２の傾斜部３１ｐによってローラ３２の上方に案内される（図７−１）。この際、一例として、引出部１００ｂのミシン目１００ｃによって引出部１００ｂが屈曲してたるみ部１００ｆが発生し、たるみ部１００ｆがローラ３２とロール部１００ａとの間を経由して、基体部３１の空間３１ｘに入り込む。この際、ローラ３２は、たるみ部１００ｆの移動に連れ回りする。このとき、本実施形態では、第２の傾斜部３１ｐの上流側端３１ｔがローラ３２の上端３２ｃよりも下方に位置されているので、たるみ部１００ｆが比較的にスムーズに空間３１ｘに入り込む。更に、本実施形態では、第２の傾斜部３１ｐと対向部３１ｑとの接続部３１ｒが上方に凸に湾曲しているので、たるみ部１００ｆがよりスムーズに空間３１ｘに入り込む。
【００３６】
図８−１，図８−２に示すように、第２の傾斜部３１ｐを含むガイド部３１ｎが基部１１５の搬送ガイド部１３１ｇに設けられていない場合には、戻し搬送方向でのローラ３２の上流側で、引出部１００ｂがミシン目１００ｃで折れ曲がってローラ３２に引っ掛かり、その後、引出部１００ｂが多重に折れ曲がって用紙ジャムが発生するおそれがある。
【００３７】
以上説明したとおり、本実施形態では、用紙１００の戻し搬送において、一例として、引出部１００ｂが第２の傾斜部３１ｐに当接しながら搬送され、引出部１００ｂは、第２の傾斜部３１ｐによってローラ３２の上方に案内される。よって、戻し搬送方向でのローラ３２の上流側で、引出部１００ｂがミシン目１００ｃで折れ曲がってローラ３２に引っ掛かることを抑制することができる。よって、本実施形態によれば、用紙１００が戻し搬送された場合の用紙ジャムの発生を抑制することができる。この際、本実施形態では、一例として、引出部１００ｂのミシン目１００ｃによって引出部１００ｂが屈曲してたるみ部１００ｆとなり、たるみ部１００ｆがローラ３２とロール部１００ａとの間を経由して、基体部３１の空間３１ｘに入り込むことができる。よって、本実施形態によれば、用紙１００が戻し搬送された場合の用紙ジャムの発生をより抑制することができる。
【００３８】
また、本実施形態では、第２の傾斜部３１ｐが、ローラ３２の軸心３２ｂに沿って複数設けられているので、用紙１００をより安定して案内することができる。
【００３９】
次に、本実施形態の変形例を図９を参照して説明する。本変形例では、搬送ガイド部３１ｇの凸部３１ｎが搬送ガイド部３１ｇにおける用紙搬送方向と直交する幅方向の全域に亘って設けられている。
【００４０】
以上説明したとおり、上記の実施形態によれば、用紙１００が戻し搬送された場合の用紙ジャムの発生を抑制することができる。
【００４１】
本発明の実施形態を説明したが、上記の実施形態は、例として提示したものであり、発明の範囲を限定することは意図していない。上記の新規な実施形態は、その他の様々な形態で実施されることが可能であり、発明の要旨を逸脱しない範囲で、種々の省略、置き換え、変更を行うことができる。上記の実施形態やその変形は、発明の範囲や要旨に含まれるとともに、特許請求の範囲に記載された発明とその均等の範囲に含まれる。
【００４２】
例えば、上述した実施形態においては、支持部３１ｈが前壁３１ｄに設けられた例を示したが、支持部３１ｈは、側壁３１ｆに設けられていてもよい。
【００４３】
また、上述した実施形態においては、ローラ３２の外周部に、複数の凹部３２ａを形成したが、これに限られるものではなく、ローラ３２に凹部３２ａを設けなくてもよい。さらには、ローラ３２を金属等の重い素材を用いて形成してフライホイールとしての機能を持たせてもよい。この場合、ローラ３２は回転すると慣性力により当該回転を維持しようとして、用紙１００の搬送動作が停止した後も慣性力によりしばらく回転し続けるため、用紙１００のたるみ部１００ｆを空間３１ｘにより搬送することができ、たるみ部１００ｆによる用紙ジャムの発生をより抑制することができる。
【００４４】
また、上述した実施形態においては、用紙１００として、印字面が外側を向いた外巻きのものを用いたが、これに限るものではなく、用紙１００としては、印字面が内側を向いた内巻きのものであってもよい。また、上述した実施形態においては、用紙１００として、ミシン目１００ｃが設けられたものを用いたが、これに限るものではなく、用紙１００としては、ミシン目１００ｃが設けられていない長尺状の用紙であってもよい。また、用紙１００としては、長尺状の台紙にラベルが貼り付けられたラベル用紙であってもよい。
【符号の説明】
【００４５】
１…プリンタ、１５…用紙収納装置、２０…印字ヘッド（印字部）、３１ｋ…第１の傾斜部、３１ｎ…凸部（ガイド部）、３１ｐ…第２の傾斜部、３１ｑ…対向部、３１ｒ…接続部、３１ｓ…下流側端、３１ｔ…上流側端、３２…ローラ、３２ｃ…上端、１００…用紙、１００ａ…ロール部、１００ｄ…外周部。
【先行技術文献】
【特許文献】
【００４６】
【特許文献１】特開２０１０−６４３００号公報
【図１】
0005462297.tif 000002
【図２】
0005462297.tif 000003
【図３】
0005462297.tif 000004
【図４】
0005462297.tif 000005
【図５】
0005462297.tif 000006
【図６−１】
0005462297.tif 000007
【図６−２】
0005462297.tif 000008
【図７−１】
0005462297.tif 000009
【図７−２】
0005462297.tif 000010
【図８−１】
0005462297.tif 000011
【図８−２】
0005462297.tif 000012
【図９】
0005462297.tif 000013